(57)【要約】 【課題】精算業務の効率を向上させ、支払うべき金額の釣銭よりも多い金額の釣銭の支払いを防止すること。【解決手段】商品に付されたデータコードに基づいて前記商品の精算処理を行う電子キャッシュレジスタは、商品の精算時に支払いに用いる紙葉を撮像する撮像装置と、撮像装置の撮像により取得された画像データから紙葉に印刷されている金額情報が予め設定された金額情報であるか否かを認識する画像認識部と、画像認識部により認識された紙葉に印刷されている金額情報が予め設定された金額情報でなければ、予め設定された金額情報でない旨を表示する表示部とを具備する。【選択図】図１
2011243227.tif 000002
【特許請求の範囲】
【請求項１】
商品に付されたデータコードに基づいて前記商品の精算処理を行う電子キャッシュレジスタにおいて、
前記商品の精算時に支払いに用いる紙葉を撮像する撮像装置と、
前記撮像装置の撮像により取得された画像データから前記紙葉に印刷されている金額情報が予め設定された金額情報であるか否かを認識する画像認識部と、
前記画像認識部により認識された前記紙葉に印刷されている金額情報が前記予め設定された金額情報でなければ、前記予め設定された金額情報でない旨を表示する表示部と、
を具備することを特徴とする電子キャッシュレジスタ。
【請求項２】
前記表示部は、前記画像認識部により認識された前記紙葉に印刷されている金額情報が前記予め設定された金額情報であれば、前記予め設定された金額情報が印刷された前記紙葉を受領した旨を前記表示部に表示することを特徴とする請求項１記載の電子キャッシュレジスタ。
【請求項３】
前記画像認識部は、前記撮像装置の撮像により取得された前記画像データ中から前記データコードとしてのバーコードを認識し、
前記画像認識部により認識された前記バーコードに基づいて前記商品の精算額データを求め、この後に前記商品に対する前記精算処理を完了する精算処理部を有し、
前記画像認識部は、前記精算処理部により前記商品の精算額データが求められた時点で、前記撮像装置の撮像により取得された画像データから前記紙葉に印刷されている金額情報が前記予め設定された金額情報であるか否かを認識する、
ことを特徴とする請求項１記載の電子キャッシュレジスタ。
【請求項４】
前記画像認識部により前記予め設定された金額情報であると認識されると、前記予め設定された金額情報が印刷された前記紙葉の枚数をカウントする高額紙葉カウント部を有することを特徴とする請求項１記載の電子キャッシュレジスタ。
【請求項５】
金額情報が印刷されている前記紙葉を載置するための載置台を備え、
前記撮像装置は、撮像範囲を前記載置台上に向けて設けられ、前記載置台又は前記載置台上に載置される前記商品の精算時に支払いに用いる前記紙葉を撮像する、
ことを特徴とする請求項１記載の電子キャッシュレジスタ。
【請求項６】
前記画像認識部は、前記撮像装置の撮像により取得された前記画像データに基づいて前記載置台上に前記紙葉が在るか無いかを判断し、前記紙葉がなければ、前記予め設定された金額情報が印刷された前記紙葉以外での前記商品の精算であるものと認識することを特徴とする請求項５記載の電子キャッシュレジスタ。
【請求項７】
前記表示部は、前記予め設定された金額情報が印刷された前記紙葉の金額表示と、前記予め設定された金額情報とは異なる金額情報が印刷された前記紙葉の金額表示とをそれぞれ異なる表示色で表示することを特徴とする請求項１記載の電子キャッシュレジスタ。
【請求項８】
商品に付されたデータコードを取り込む電子キャッシュレジスタと、前記電子キャッシュレジスタがネットワークを介して接続され、前記電子キャッシュレジスタとの間で前記商品の精算処理に関する情報の授受及び前記商品の精算処理結果の記録を行うＰＯＳ処理装置とを有するＰＯＳシステムにおいて、
少なくとも前記商品の精算時に支払いに用いる紙葉を撮像する撮像装置と、
前記撮像装置の撮像により取得された画像データから前記紙葉に印刷されている金額情報が予め設定された金額情報であるか否かを認識する画像認識部と、
前記画像認識部により認識された前記紙葉に印刷されている前記金額情報が前記予め設定された金額情報でなければ、前記予め設定された金額情報でない旨を表示する表示部と、
を具備することを特徴とするＰＯＳシステム。
【請求項９】
前記画像認識部は、前記撮像装置の撮像により取得された前記画像データ中から前記データコードとしてのバーコードを認識し、
前記画像認識部により認識された前記バーコードに基づいて前記商品の精算額データを求め、この後に前記商品に対する前記精算処理を完了する精算処理部を有し、
前記画像認識部は、前記精算処理部により前記商品の精算額データが求められた時点で、前記撮像装置の撮像により取得された画像データから前記紙葉に印刷されている金額情報が予め設定された金額情報であるか否かを認識する、
ことを特徴とする請求項８記載のＰＯＳシステム。
【発明の詳細な説明】
【技術分野】
【０００１】
本発明は、例えば商品に付されたデータコードに基づいて商品の精算処理を行う電子キャッシュレジスタ及びこの電子キャッシュレジスタをＰＯＳ端末としてネットワークを介して接続して成るＰＯＳシステムに関する。
【背景技術】
【０００２】
商品を販売する店舗では、キャッシャー等によって電子キャッシュレジスタが操作されて商品の精算業務が行われる。この商品の精算業務では、キャッシャーが電子キャッシュレジスタに対して商品購入者によって購入される各商品の価格や商品名、個数等の登録が行われ、この後に購入される全ての商品の精算額が電子キャッシュレジスタにおける例えば液晶ディスプレイ等の表示部に表示される。
【０００３】
キャッシャーは、商品購入者から商品の精算を行うために紙幣や硬貨等の貨幣を受け取り、釣銭があれば当該釣銭支払いを商品購入者に行って商品精算を終了する。この商品精算を行うとき、キャッシャーは、商品購入者から高額の紙幣、例えば壱万円の紙幣を受け取ることがある。キャッシャーは、高額の紙幣を受け取ると、この紙幣を例えば電子キャッシュレジスタに設けられている札挟みに挟んだり、電子キャッシュレジスタにおけるテーブル上に一時置いている。そして、キャッシャーは、商品購入者から受け取った貨幣の金額と商品の精算額とから釣銭の金額を計算し、商品購入者に対して釣銭支払いを行っている。キャッシャーは、例えば壱万円の高額の紙幣を受け取ったときの商品精算業務の終了の後、例えば壱万円の高額の紙幣の収納枚数をカウントするために手書きによってチェックを行う。
【０００４】
特許文献１は、高額紙幣の受領を入力する高額紙幣入力部と、この高額紙幣入力部により入力された高額紙幣データを格納する高額紙幣記憶部とを有し、入力部からの簡単な操作により高額紙幣のチェックができ、高額紙幣の管理を迅速かつ容易に行うことを開示する。
【先行技術文献】
【特許文献】
【０００５】
【特許文献１】特開平９−２２３２７３号公報
【発明の概要】
【発明が解決しようとする課題】
【０００６】
しかしながら、店舗では、キャッシャーにより商品の精算業務を行う他に、精算業務以外の業務を行うことが増えている。このため、キャッシャーによる商品の精算業務を行う効率が悪くなっている。さらに、キャッシャーが長時間に亘って商品の精算業務を行うと、この精算業務による疲労等からキャッシャーは、例えば壱万円の高額の紙幣の収納枚数の手書きによるチェックを忘れたり、例えば千円や、二千円、五千円の紙幣を壱万円の高額の紙幣と見間違えてしまい、支払うべき金額の釣銭よりも多い金額の釣銭を商品購入者に支払ってしまうことが起きやすい。
【０００７】
本発明の目的は、精算業務の効率を向上させ、支払うべき金額の釣銭よりも多い金額の釣銭の支払いを防止できる電子キャッシュレジスタ及びＰＯＳシステムを提供することにある。
【課題を解決するための手段】
【０００８】
本発明の主要な局面に係る電子キャッシュレジスタは、商品に付されたデータコードに基づいて商品の精算処理を行う電子キャッシュレジスタにおいて、商品の精算時に支払いに用いる紙葉を撮像する撮像装置と、撮像装置の撮像により取得された画像データから紙葉に印刷されている金額情報が予め設定された金額情報であるか否かを認識する画像認識部と、画像認識部により認識された紙葉に印刷されている金額情報が予め設定された金額情報でなければ、予め設定された金額情報でない旨を表示する表示部とを具備する。
【０００９】
本発明の主要な局面に係るＰＯＳシステムは、商品に付されたデータコードを取り込む電子キャッシュレジスタと、電子キャッシュレジスタがネットワークを介して接続され、電子キャッシュレジスタとの間で商品の精算処理に関する情報の授受及び商品の精算処理結果の記録を行うＰＯＳ処理装置とを有するＰＯＳシステムにおいて、少なくとも商品の精算時に支払いに用いる紙葉を撮像する撮像装置と、撮像装置の撮像により取得された画像データから紙葉に印刷されている金額情報が予め設定された金額情報であるか否かを認識する画像認識部と、画像認識部により認識された紙葉に印刷されている金額情報が予め設定された金額情報でなければ、予め設定された金額情報でない旨を表示する表示部とを具備する。
【発明の効果】
【００１０】
本発明によれば、精算業務の効率を向上させ、支払うべき金額の釣銭よりも多い金額の釣銭の支払いを防止できる電子キャッシュレジスタ及びＰＯＳシステムを提供できる。
【図面の簡単な説明】
【００１１】
【図１】本発明に係る第１の実施の形態であるＰＯＳシステムを示す構成図。
【図２】同装置における精算業務フローチャート。
【図３】本発明に係る第２の実施の形態である電子キャッシュレジスタを示す構成図。
【発明を実施するための形態】
【００１２】
以下、本発明の第１の実施の形態について図面を参照して説明する。  
図１はＰＯＳシステムの構成図を示す。このＰＯＳシステムは、ＰＯＳ処理装置１と、このＰＯＳ処理装置１のＰＯＳ端末である電子キャッシュレジスタ２とから成る。電子キャッシュレジスタ２には、商品購入者によって購入される各商品３の情報、例えば商品３の価格や商品名、個数等の登録などをキャッシャーによりマニュアル操作により入力するための複数のキー４と、商品購入者によって購入される各商品３の精算額等を表示するための例えば２つの液晶ディスプレイ５、６と、商品３に付されたデータコード、例えばバーコード７を撮像するＣＣＤバーコードスキャナ８と、精算指示キー９とを備える。２つの液晶ディスプレイ５、６のうち一方の液晶ディスプレイ５は、例えばキャッシャー用であり、他方の液晶ディスプレイ５は、例えば商品購入者用である。又、電子キャッシュレジスタ２には、商品の精算時に商品購入者から受け取った高額の金額情報が印刷された紙幣、例えば壱万円の紙幣１０を仮置きする載置台としてのテーブル１１が設けられている。なお、紙幣１０は、壱万円に限らず、例えば千円や、二千円、五千円も含むものとする。  ＣＣＤバーコードスキャナ８は、バーコード７が付された商品３を含む領域の撮像（以下、バーコード７の撮像と省略する）を行う。又、このＣＣＤバーコードスキャナ８は、撮像方向がテーブル１１の設けられている方向に設定されている。これにより、ＣＣＤバーコードスキャナ８は、テーブル１１上に仮置きされた例えば壱万円の紙幣１０を含む領域の撮像（以下、紙幣１０の撮像と省略する）を行う。このＣＣＤバーコードスキャナ８は、バーコード７の撮像と紙幣１０の撮像との兼用になっているが、バーコード７を読み取るバーコードスキャナが別途設けられていれば、ＣＣＤバーコードスキャナ８は、紙幣１０の撮像専用として用いてもよい。
【００１３】
なお、電子キャッシュレジスタ２には、例えば壱万円の紙幣１０を仮置きするテーブル１１に代えて、紙幣１０を挟むための札挟みが設けられていてもよい。この場合、ＣＣＤバーコードスキャナ８は、札挟みに挟まれた紙幣１０を撮像するように撮像方向が設定される。又、ＣＣＤバーコードスキャナ８は、電子キャッシュレジスタ２に設けられていてもよいし、電子キャッシュレジスタ２の周辺に設置されてもよい。
【００１４】
精算指示キー９は、商品購入者によって購入される各商品３の価格や商品名、個数等の登録が行われた後、全ての商品の精算額を算出するためにキャッシャーによって指示操作される。  
電子キャッシュレジスタ２は、ＣＰＵ、ＲＯＭ、ＲＡＭ等のコンピュータを搭載しており、このコンピュータの演算により例えば店内ネットワーク３０を介してＰＯＳ処理装置１の間でデータ伝送を行う機能と、画像認識部２１及び報知部２２の機能とを有する。このうち画像認識部２１は、ＣＣＤバーコードスキャナ８の撮像により取得された画像データを受け取り、この画像データ中からバーコード７を認識する。  
又、画像認識部２１は、ＣＣＤバーコードスキャナ８の撮像により取得された画像データから紙幣１０に印刷されている金額情報が高額の金額情報、例えば壱万円の高額の金額情報であるか否かを認識する。この壱万円の高額の金額情報であるか否かの認識は、例えば、ＣＣＤバーコードスキャナ８の撮像により取得された画像データ中に「壱万円」等の文字や「１００００」等の数字が認識されるか否か、又は画像データ中の絵柄等を画像認識して壱万円の紙幣１０であるか否か、又は紙幣１０の大きさを認識することにより行われる。
【００１５】
なお、ＣＣＤバーコードスキャナ８の撮像範囲内に１枚ずつ紙幣１０が順次配置されることがある。この場合、画像認識部２１は、ＣＣＤバーコードスキャナ８の撮像により取得される画像データを順次取り込み、これら画像データから各紙幣１０にそれぞれ印刷されている各金額情報が例えば壱万円の高額の金額情報であるか否かをそれぞれ認識する。
【００１６】
画像認識部２１は、通常、ＣＣＤバーコードスキャナ８の撮像により取得された画像データ中からバーコード７を認識するが、後述するＰＯＳ処理装置１における精算処理部３４により商品３の精算額データが求められた時点で、自動的にＣＣＤバーコードスキャナ８の撮像により取得された画像データを受け取り、この画像データから紙幣１０に印刷されている金額情報が高額の金額情報、例えば壱万円の高額の金額情報であるか否かを認識する機能に切り替わる。  
又は、画像認識部２１は、通常、ＣＣＤバーコードスキャナ８の撮像により取得された画像データ中からバーコード７を認識するが、精算指示キー９が例えばキャッシャーによって操作されると、この精算指示キー９の操作を受けてＣＣＤバーコードスキャナ８の撮像により取得された画像データを受け取り、この画像データから紙幣１０に印刷されている金額情報が高額の金額情報、例えば壱万円の高額の金額情報であるか否かを認識する機能に切り替わる。
【００１７】
報知部２２は、画像認識部２１により認識された紙幣１０に印刷されている金額情報が例えば壱万円の高額の金額情報でなければ、当該壱万円の高額の金額情報でない旨を２つの液晶ディスプレイ５、６のうちいずれか一方又は両方に警告表示する。これら液晶ディスプレイ５、６のうちいずれか一方又は両方に警告表示する場合、報知部２２は、壱万円の高額の金額情報でない旨を例えば赤色の文字により表示したり、又はブザー等の鳴動機を設け、この鳴動機を鳴動させてもよい。  
又、報知部２２は、画像認識部２１により認識された紙幣１０に印刷されている金額情報が例えば壱万円の高額の金額情報であり、かつＰＯＳ処理装置１から精算額を受領した旨の情報が通知されると、壱万円の紙幣１０を受領した旨を２つの液晶ディスプレイ５、６のうちいずれか一方又は両方に表示する。
【００１８】
ＰＯＳ処理装置１は、店内ネットワーク３０を介して電子キャッシュレジスタ２との間で商品３の精算処理に関する情報の授受及び商品３の精算処理結果の記録等を行うもので、店舗サーバ３１と、店舗端末３２と、商品データベース３３とを有する。店舗サーバ３１は、ＣＰＵ、ＲＯＭ、ＲＡＭ等のコンピュータから成り、店舗端末３２と商品データベース３３とが接続されている。  
商品データベース３３には、店舗で販売する全ての商品３の価格や商品名等のデータが予め格納されている。
【００１９】
店舗サーバ３１は、精算処理部３４と、高額紙葉カウント部３５との機能を有する。精算処理部３４は、電子キャッシュレジスタ２から送信されてくるバーコード７を商品データベース３３に照会し、当該バーコード７に対応する商品３の価格や商品名等のデータを読み出し、全ての商品３の各価格を合計して精算額データを求め、この精算額データを店内ネットワーク３０を介して電子キャッシュレジスタ２に送信する。  
高額紙葉カウント部３５は、電子キャッシュレジスタ２から送信されてくる紙幣１０に印刷されている金額情報が例えば壱万円の高額の金額情報であれば、当該壱万円の高額の金額情報が印刷された紙幣１０の枚数すなわち壱万円の紙幣１０の枚数をカウントする。
【００２０】
次に、上記の如く構成されたＰＯＳシステムによる精算業務の動作について図２に示す精算業務フローチャートに従って説明する。  
商品３が例えばキャッシャーの手に把持され、商品３に貼り付けられているバーコード７がキャッシャーの手の動きによってその位置がＣＣＤバーコードスキャナ８の撮像範囲内に配置される。このＣＣＤバーコードスキャナ８は、ステップ＃１において、バーコード７が付された商品３を含む領域の撮像し、その画像データを出力する。  
電子キャッシュレジスタ２における画像認識部２１は、ステップ＃２において、ＣＣＤバーコードスキャナ８の撮像により取得された画像データを取り込み、この画像データ中からバーコード７を認識する。電子キャッシュレジスタ２は、認識したバーコード７を店内ネットワーク３０を介して店舗サーバ３１に送信する。なお、複数の商品３がＣＣＤバーコードスキャナ８の撮像範囲内に順次配置されると、画像認識部２１は、ＣＣＤバーコードスキャナ８の撮像により取得された画像データを取り込み、この画像データ中から各商品３の各バーコード７を順次認識する。電子キャッシュレジスタ２は、順次認識した各バーコード７の情報を店内ネットワーク３０を介して店舗サーバ３１に順次送信する。
【００２１】
店舗サーバ３１は、ステップ＃３において、電子キャッシュレジスタ２から送信されてきたバーコード７の情報を受信する。次に、店舗サーバ３１における精算処理部３４は、ステップ＃４において、電子キャッシュレジスタ２から送信されてきたバーコード７の情報を商品データベース３３に照会し、当該バーコード７に対応する商品３の価格や商品名等のデータを読み出す。そして、複数の商品３のバーコード７の情報が電子キャッシュレジスタ２から受信されると、精算処理部３４は、各バーコード７の情報を商品データベース３３に照会し、当該各バーコード７に対応する各商品３の各価格や各商品名等の各データを読み出し、全ての商品３の各価格を合計して精算額データを求める。  
次に、店舗サーバ３１は、ステップ＃５において、精算処理部３４により求められた全ての商品３の精算額データを店内ネットワーク３０を介して電子キャッシュレジスタ２に送信する。
【００２２】
次に、電子キャッシュレジスタ２は、ステップ＃６において、店舗サーバ３１から店内ネットワーク３０を介して送信されてきた全ての商品３の精算額データを受領する。  
ここで、キャッシャーは、商品購入者から商品の精算を行うために紙幣や硬貨等の貨幣を受け取り、釣銭があれば当該釣銭支払いを商品購入者に行う。このような商品精算を行うとき、キャッシャーは、商品購入者から高額の紙幣、例えば壱万円の紙幣１０を受け取ることがある。キャッシャーは、壱万円の紙幣１０を受け取ると、この紙幣１０をテーブル１１上に一時仮置きする。このとき、キャッシャーは、上記の如く商品の精算業務を行う他に、精算業務以外の業務を行うことが増えて商品の精算業務を行う効率が悪くなり、さらに長時間に亘る商品の精算業務による疲労等から例えば千円や、二千円、五千円の紙幣を壱万円の高額の紙幣１０と見間違えてしまい、例えば千円や、二千円、五千円の紙幣を誤ってテーブル１１上に一時仮置きするおそれがある。なお、商品３の精算額によっては、硬貨により精算を行い、商品購入者から壱万円の高額の紙幣１０を受け取らず、高額の紙幣１０がテーブル１１上に一時仮置きされないこともある。
【００２３】
電子キャッシュレジスタ２における画像認識部２１は、全ての商品３の精算額データを受領したことを確認すると、自動的にステップ＃７に移り、ＣＣＤバーコードスキャナ８の撮像により取得される画像データを取り込む。このとき、ＣＣＤバーコードスキャナ８は、テーブル１１上に一時仮置きされている壱万円の紙幣１０を撮像し、その画像データを出力する。
【００２４】
画像認識部２１は、ＣＣＤバーコードスキャナ８の撮像により取得された画像データを取り込み、ステップ＃８において、画像データ中のテーブル１１上に紙幣１０が在るか否かを判断する。この場合、画像認識部２１は、テーブル１１上に仮置きされている紙幣が壱万円に限らず、例えば千円や、二千円、五千円の紙幣１０が誤って仮置きされていてもテーブル１１上に紙幣１０が在ると判断する。
【００２５】
次に、画像認識部２１は、ステップ＃９において、ＣＣＤバーコードスキャナ８の撮像により取得された画像データから紙幣１０に印刷されている金額情報が高額の金額情報、例えば壱万円の高額の金額情報であるか否かを認識する。  
この認識の結果、画像認識部２１により認識された紙幣１０に印刷されている金額情報が例えば壱万円の高額の金額情報でなければ、報知部２２は、ステップ＃１０において、当該壱万円の高額の金額情報でない旨を２つの液晶ディスプレイ５、６のうちいずれか一方又は両方に警告表示する。この場合、報知部２２は、壱万円の高額の金額情報でない旨すなわち壱万円の紙幣１０でない旨を例えば赤色の文字により表示したり、又はブザー等を鳴動する。
【００２６】
しかるに、キャッシャーは、例えば千円や二千円、五千円の紙幣１０を壱万円の高額の紙幣１０と見間違えてテーブル１１上に一時仮置きしたことに気付くことが可能である。壱万円の紙幣１０でない旨の警告表示は、報知部２２によりステップ＃１１において、所定期間後に自動的に解除されたり、又はキャッシャーによる電子キャッシュレジスタ２における所定のキー操作により解除される。この警告表示が解除されると、キャッシャーは、商品購入者から商品の精算を行うために例えば千円や二千円、五千円の紙幣１０や硬貨等の貨幣を受け取り、釣銭があれば当該釣銭支払いを商品購入者に行って商品精算を終了する。
【００２７】
一方、上記認識の結果、壱万円の紙幣１０であれば、電子キャッシュレジスタ２は、ステップ＃１２において、壱万円の紙幣１０を受領した旨の情報を店内ネットワーク３０を介して店舗サーバ３１に送信する。  
次に、店舗サーバ３１は、電子キャッシュレジスタ２から送信された壱万円の紙幣１０を受領した旨の情報を店内ネットワーク３０を介して受信し、この壱万円の紙幣１０を受領した旨の情報を高額紙葉カウント部３５に送る。この高額紙葉カウント部３５は、電子キャッシュレジスタ２から壱万円の紙幣１０を受領した旨の情報を受けると、ステップ＃１３において、壱万円の高額の金額情報が印刷された紙幣１０の枚数をカウントする。そして、店舗サーバ３１は、電子キャッシュレジスタ２から壱万円の紙幣１０を受領した旨を受けたことの確認のデータを店内ネットワーク３０を介して電子キャッシュレジスタ２に送信する。
【００２８】
次に、電子キャッシュレジスタ２における報知部２２は、ステップ＃１４において、ＰＯＳ処理装置１から壱万円の紙幣１０を受領した旨が通知されると、壱万円の高額の金額を受領した旨を２つの液晶ディスプレイ５、６のうちいずれか一方又は両方に表示させる。  
なお、画像認識部２１は、ステップ＃８における判断の結果、画像データ中のテーブル１１上に紙幣１０が無いと判断すると、例えば硬貨による商品３の精算であるものと認識する。しかるに、キャッシャーは、商品購入者から商品の精算を行うために硬貨を受け取り、釣銭があれば当該釣銭支払いを商品購入者に行って商品精算を終了する。なお、テーブル１１上に紙幣１０が無い場合、画像認識部２１は、紙幣１０以外での商品３の精算、例えばクレジットカード等による商品３の精算であるものと認識する。
【００２９】
以上により商品３の精算業務が終了する。
【００３０】
このように上記第１の実施の形態によれば、商品３の精算時に支払いに用いる紙幣１０を撮像し、この撮像により取得された画像データから紙幣１０に印刷されている金額情報が例えば壱万円の高額の金額情報であるか否かを認識し、紙幣１０に印刷されている金額情報が壱万円の高額の金額情報でなければ、当該壱万円の高額の金額情報でない旨を液晶ディスプレイ５、６のうちいずれか一方又は両方に警報表示する。これにより、キャッシャーが商品購入者から例えば千円や二千円、五千円の紙幣１０を受け取ると、壱万円の紙幣１０でない旨の警報が表示されるので、キャッシャーは、千円や二千円、五千円の紙幣１０と壱万円の高額の紙幣１０とを確実に見分けることができる。
【００３１】
店舗では、キャッシャーにより商品の精算業務を行う他に、精算業務以外の業務を行うことが増えているために、キャッシャーによる商品の精算業務を行う効率が悪くなり、さらに、キャッシャーが長時間に亘って商品の精算業務を行なってキャッシャーが疲労していても、壱万円の紙幣１０でない旨の警報表示を視覚的に見ることになり、キャッシャーは、商品購入者から受け取った紙幣１０が壱万円の高額の紙幣１０であることを確実に認識できる。これにより、支払うべき金額の釣銭よりも多い金額の釣銭を商品購入者に支払うことはなくなる。
【００３２】
又、店舗サーバ３１における高額紙葉カウント部３５は、電子キャッシュレジスタ２から壱万円の紙幣１０を受領した旨の情報を受けると、壱万円の紙幣１０の枚数をカウントするので、キャッシャーの手書きによる壱万円の高額の紙幣１０の収納枚数チェックをする必要がなく、自動的に壱万円の高額の紙幣１０の収納枚数をカウントできる。  
ＣＣＤバーコードスキャナ８は、バーコード７の撮像と紙幣１０の撮像とを兼用するので、紙幣１０を撮像するための専用の装置を設ける必要がなく、かつ画像認識部２１及び報知部２２の各機能もプログラムの変更等で容易に実現できる。
【００３３】
上記第１の実施の形態では、電子キャッシュレジスタ２に画像認識部２１と報知部２２とを設けると共に、ＰＯＳ処理装置１に商品データベース３３と精算処理部３４と高額紙葉カウント部３５とを設けているが、これら画像認識部２１、報知部２２、商品データベース３３、精算処理部３４、高額紙葉カウント部３５は、それぞれ電子キャッシュレジスタ２又はＰＯＳ処理装置１のいずれに設けてもよい。
【００３４】
次に、本発明の第２の実施の形態について図面を参照して説明する。なお、図１と同一部分には同一符号を付してその詳しい説明は省略する。  
図３は電子キャッシュレジスタ２の構成図を示す。この電子キャッシュレジスタ２は、単独で商品３に付されたバーコード７に基づいて商品３の精算処理等を行うもので、画像認識部２１、報知部２２、商品データベース３３、精算処理部３４及び高額紙葉カウント部３５の各機能を有する。
【００３５】
次に、上記の如く構成された電子キャッシュレジスタ２による精算業務の動作について説明する。  
ＣＣＤバーコードスキャナ８は、バーコード７が付された商品３を含む領域の撮像し、その画像データを出力する。画像認識部２１は、ＣＣＤバーコードスキャナ８の撮像により取得された画像データを取り込み、この画像データ中からバーコード７を認識する。  
次に、精算処理部３４は、画像認識部２１により認識されたバーコード７の情報を商品データベース３３に照会し、当該バーコード７に対応する商品３の価格や商品名等のデータを読み出す。そして、複数の商品３のバーコード７が認識された場合、精算処理部３４は、各バーコード７の情報を商品データベース３３に照会し、当該各バーコード７に対応する各商品３の各価格や各商品名等の各データを読み出し、全ての商品３の各価格を合計して精算額データを求める。
【００３６】
次に、画像認識部２１は、全ての商品３の精算額データを受領したことを確認すると、ＣＣＤバーコードスキャナ８によりテーブル１１上に一時仮置きされている壱万円の紙幣１０を撮像して取得される画像データを取り込む。画像認識部２１は、画像データ中のテーブル１１上に紙幣１０が在るか否かを判断する。この場合、画像認識部２１は、テーブル１１上に仮置きされている紙幣が壱万円に限らず、例えば千円や、二千円、五千円の紙幣１０が誤って仮置きされていてもテーブル１１上に紙幣１０が在ると判断する。
【００３７】
次に、画像認識部２１は、ＣＣＤバーコードスキャナ８の撮像により取得された画像データから紙幣１０に印刷されている金額情報が高額の金額情報、例えば壱万円の高額の金額情報であるか否かを認識する。この認識の結果、画像認識部２１により認識された紙幣１０に印刷されている金額情報が例えば壱万円の高額の金額情報でなければ、報知部２２は、当該壱万円の高額の金額情報でない旨を２つの液晶ディスプレイ５、６のうちいずれか一方又は両方に警告表示する。
【００３８】
しかるに、キャッシャーは、例えば千円や二千円、五千円の紙幣１０を壱万円の高額の紙幣１０と見間違えてテーブル１１上に一時仮置きしたことに気付くことが可能である。この警告表示は、報知部２２により所定期間後に自動的に解除されたり、又はキャッシャーによる電子キャッシュレジスタ２における所定のキー操作により解除される。この警告表示が解除されると、キャッシャーは、商品購入者から商品の精算を行うために例えば千円や二千円、五千円の紙幣１０や硬貨等の貨幣を受け取り、釣銭があれば当該釣銭支払いを商品購入者に行って商品精算を終了する。
【００３９】
一方、上記認識の結果、壱万円の紙幣１０であれば、電子キャッシュレジスタ２は、壱万円の紙幣１０を受領したことを確認し、この壱万円の紙幣１０を受領した旨の情報を高額紙葉カウント部３５に送る。この高額紙葉カウント部３５は、壱万円の高額の金額情報が印刷された紙幣１０の枚数をカウントする。  
次に、報知部２２は、壱万円の高額の金額を受領した旨を２つの液晶ディスプレイ５、６のうちいずれか一方又は両方に表示させる。  
なお、画像認識部２１は、画像データ中のテーブル１１上に紙幣１０が無いと判断すると、硬貨による商品３の精算であるものと認識する。しかるに、キャッシャーは、商品購入者から商品の精算を行うために硬貨を受け取り、釣銭があれば当該釣銭支払いを商品購入者に行って商品精算を終了する。
【００４０】
以上により商品３の精算業務が終了する。
【００４１】
このように上記第２の実施の形態によれば、ＰＯＳシステムの一端末として機能せずに単独の電子キャッシュレジスタ２であっても、上記第１の実施の形態と同様の効果を奏することができる。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
【符号の説明】
【００４３】
１：ＰＯＳ処理装置、２：電子キャッシュレジスタ、３：商品、４：複数のキー、５，６：液晶ディスプレイ、７：バーコード、８：ＣＣＤバーコードスキャナ、９：精算指示キー、１０：紙幣、２１：画像認識部、２２：報知部、３０：店内ネットワーク、３１：店舗サーバ、３２：店舗端末、３３：商品データベース、３４：精算処理部、３５：高額紙葉カウント部。
【図１】
2011243227.tif 000003
【図２】
2011243227.tif 000004
【図３】
2011243227.tif 000005